【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、
第１のワイヤレスデバイスと第２のワイヤレスデバイスとの間のダウンリンクチャネルのチャネル状態変化を決定することと、
前記チャネル状態変化がトリガ条件を満たすかどうかを決定することと、
前記チャネル状態変化が前記トリガ条件を満たすとき、非周期追跡基準信号の送信をトリガすることと、
を備える、方法。
【請求項２】
前記第１のワイヤレスデバイスは基地局を備え、前記第２のワイヤレスデバイスはユーザ機器を備え、前記基地局は、前記非周期追跡基準信号の前記送信を前記トリガすることに基づいて、前記ユーザ機器に前記非周期追跡基準信号を送信するように構成された、請求項１に記載の方法。
【請求項３】
前記基地局は、前記ユーザ機器に周期追跡基準信号を周期的に送信するようにさらに構成された、請求項２に記載の方法。
【請求項４】
前記非周期追跡基準信号と前記周期追跡基準信号とは、同じ数のリソース上で送信される、請求項３に記載の方法。
【請求項５】
前記基地局は、前記ユーザ機器に前記非周期追跡基準信号の送信をシグナリングするように構成された、請求項２に記載の方法。
【請求項６】
前記基地局は、前記チャネル状態変化をトリガするように構成された、請求項２に記載の方法。
【請求項７】
前記ユーザ機器は、前記非周期追跡基準信号の送信をトリガするように構成された、請求項６に記載の方法。
【請求項８】
前記基地局は、前記非周期追跡基準信号の送信をトリガするように構成され、
特に、前記基地局は、前記チャネル状態変化のシグナリングの一部として、前記ユーザ機器に前記非周期追跡基準信号の前記送信のトリガを示すように構成された、請求項６に記載の方法。
【請求項９】
前記ユーザ機器は、前記基地局へのメッセージ中で前記チャネル状態変化を要求するように構成され、前記ユーザ機器は、前記基地局への前記メッセージ中で前記非周期追跡基準信号の送信をトリガするように構成された、請求項２に記載の方法。
【請求項１０】
前記非周期追跡基準信号の送信をトリガすることに基づいて、位相追跡基準信号の送信をトリガすることをさらに備える、請求項１に記載の方法。
【請求項１１】
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、請求項１に記載の方法。
【請求項１２】
第１のワイヤレスデバイスであって、
前記第１のワイヤレスデバイスと第２のワイヤレスデバイスとの間のダウンリンクチャネルのチャネル状態変化を決定するための手段と、
前記チャネル状態変化がトリガ条件を満たすかどうかを決定するための手段と、
前記チャネル状態変化が前記トリガ条件を満たすとき、非周期追跡基準信号の送信をトリガするための手段と、
を備える、第１のワイヤレスデバイス。
【請求項１３】
前記第２のワイヤレスデバイスが基地局を備え、前記第１のワイヤレスデバイスがユーザ機器を備え、前記基地局は、前記非周期追跡基準信号の前記送信を前記トリガすることに基づいて、前記ユーザ機器に前記非周期追跡基準信号を送信するように構成された、請求項１２に記載の第１のワイヤレスデバイス。
【請求項１４】
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、請求項１２に記載の第１のワイヤレスデバイス。
【請求項１５】
請求項１〜１１のうちのいずれか一項に記載の方法を実行するための命令を備える、コンピュータプログラム。
【手続補正２】
【補正対象書類名】明細書
【補正対象項目名】００９８
【補正方法】変更
【補正の内容】
【００９８】
[0110]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に本願の出願当初の特許請求の範囲に記載された発明を付記する。
［Ｃ１］
ワイヤレス通信のための方法であって、前記方法は、
第１のワイヤレスデバイスと第２のワイヤレスデバイスとの間のダウンリンクチャネルのチャネル状態変化を決定することと、
前記チャネル状態変化がトリガ条件を満たすかどうかを決定することと、
前記チャネル状態変化が前記トリガ条件を満たすとき、非周期追跡基準信号の送信をトリガすることと
を備える、方法。
［Ｃ２］
前記第１のワイヤレスデバイスは基地局を備え、前記第２のワイヤレスデバイスはユーザ機器を備え、前記基地局は、前記非周期追跡基準信号の前記送信を前記トリガすることに基づいて、前記ユーザ機器に前記非周期追跡基準信号を送信するように構成された、Ｃ１に記載の方法。
［Ｃ３］
前記基地局は、前記ユーザ機器に周期追跡基準信号を周期的に送信するようにさらに構成された、Ｃ２に記載の方法。
［Ｃ４］
前記非周期追跡基準信号と前記周期追跡基準信号とは同じ構造を有する、Ｃ３に記載の方法。
［Ｃ５］
前記トリガすることは、前記第１のワイヤレスデバイスまたは前記第２のワイヤレスデバイスによって実施される、Ｃ２に記載の方法。
［Ｃ６］
前記基地局は、前記ユーザ機器に前記非周期追跡基準信号の送信をシグナリングするように構成された、Ｃ２に記載の方法。
［Ｃ７］
前記基地局は、前記チャネル状態変化をトリガするように構成された、Ｃ２に記載の方法。
［Ｃ８］
前記ユーザ機器は、前記非周期追跡基準信号の送信をトリガするように構成された、Ｃ７に記載の方法。
［Ｃ９］
前記基地局は、前記非周期追跡基準信号の送信をトリガするように構成された、Ｃ７に記載の方法。
［Ｃ１０］
前記基地局は、前記チャネル状態変化のシグナリングの一部として、前記ユーザ機器に前記非周期追跡基準信号の前記送信のトリガを示すように構成された、Ｃ９に記載の方法。
［Ｃ１１］
前記ユーザ機器は、前記基地局へのメッセージ中で前記チャネル状態変化を要求するように構成され、前記ユーザ機器は、前記基地局への前記メッセージ中で前記非周期追跡基準信号の送信をトリガするように構成された、Ｃ２に記載の方法。
［Ｃ１２］
前記非周期追跡基準信号の送信をトリガすることに基づいて、位相追跡基準信号の送信をトリガすることをさらに備える、Ｃ１に記載の方法。
［Ｃ１３］
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、Ｃ１に記載の方法。
［Ｃ１４］
第１のワイヤレスデバイスであって、
メモリと、
前記メモリに結合されたプロセッサと、
を備え、前記プロセッサは、
前記第１のワイヤレスデバイスと第２のワイヤレスデバイスとの間のダウンリンクチャネルのチャネル状態変化を決定することと、
前記チャネル状態変化がトリガ条件を満たすかどうかを決定することと、
前記チャネル状態変化が前記トリガ条件を満たすとき、非周期追跡基準信号の送信をトリガすることと、
を行うように構成された、第１のワイヤレスデバイス。
［Ｃ１５］
前記第２のワイヤレスデバイスは基地局を備え、前記第１のワイヤレスデバイスはユーザ機器を備え、前記基地局は、前記非周期追跡基準信号の前記送信を前記トリガすることに基づいて、前記ユーザ機器に前記非周期追跡基準信号を送信するように構成された、Ｃ１４に記載の第１のワイヤレスデバイス。
［Ｃ１６］
前記基地局は、前記ユーザ機器に周期追跡基準信号を周期的に送信するようにさらに構成された、Ｃ１５に記載の第１のワイヤレスデバイス。
［Ｃ１７］
前記非周期追跡基準信号と前記周期追跡基準信号とが同じ構造を有する、Ｃ１６に記載の第１のワイヤレスデバイス。
［Ｃ１８］
前記基地局は、前記ユーザ機器に前記非周期追跡基準信号の送信をシグナリングするように構成された、Ｃ１５に記載の第１のワイヤレスデバイス。
［Ｃ１９］
前記基地局は、前記チャネル状態変化をトリガするように構成された、Ｃ１５に記載の第１のワイヤレスデバイス。
［Ｃ２０］
前記基地局は、前記非周期追跡基準信号の送信をトリガするように構成された、Ｃ１５に記載の第１のワイヤレスデバイス。
［Ｃ２１］
前記基地局は、前記チャネル状態変化のシグナリングの一部として、前記ユーザ機器に前記非周期追跡基準信号の前記送信のトリガを示すように構成された、Ｃ２０に記載の第１のワイヤレスデバイス。
［Ｃ２２］
前記プロセッサは、
前記基地局へのメッセージ中で前記チャネル状態変化を要求することと、
前記基地局への前記メッセージ中で前記非周期追跡基準信号の送信をトリガすることと、
を行うようにさらに構成された、Ｃ１５に記載の第１のワイヤレスデバイス。
［Ｃ２３］
前記プロセッサは、前記非周期追跡基準信号の送信をトリガすることに基づいて、位相追跡基準信号の送信をトリガするようにさらに構成された、Ｃ１４に記載の第１のワイヤレスデバイス。
［Ｃ２４］
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、Ｃ１４に記載の第１のワイヤレスデバイス。
［Ｃ２５］
第１のワイヤレスデバイスであって、
前記第１のワイヤレスデバイスと第２のワイヤレスデバイスとの間のダウンリンクチャネルのチャネル状態変化を決定するための手段と、
前記チャネル状態変化がトリガ条件を満たすかどうかを決定するための手段と、
前記チャネル状態変化が前記トリガ条件を満たすとき、非周期追跡基準信号の送信をトリガするための手段と、
を備える、第１のワイヤレスデバイス。
［Ｃ２６］
前記第２のワイヤレスデバイスが基地局を備え、前記第１のワイヤレスデバイスがユーザ機器を備え、前記基地局は、前記非周期追跡基準信号の前記送信を前記トリガすることに基づいて、前記ユーザ機器に前記非周期追跡基準信号を送信するように構成された、Ｃ２５に記載の第１のワイヤレスデバイス。
［Ｃ２７］
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、Ｃ２５に記載の第１のワイヤレスデバイス。
［Ｃ２８］
命令を記憶する非一時的コンピュータ可読媒体であって、前記命令は、第１のワイヤレスデバイスによって実行されたとき、前記第１のワイヤレスデバイスにワイヤレス通信の方法を実施させ、前記方法は、
第１のワイヤレスデバイスと第２のワイヤレスデバイスとの間のダウンリンクチャネルのチャネル状態変化を決定することと、
前記チャネル状態変化がトリガ条件を満たすかどうかを決定することと、
前記チャネル状態変化が前記トリガ条件を満たすとき、非周期追跡基準信号の送信をトリガすることと、
を備える、非一時的コンピュータ可読媒体。
［Ｃ２９］
前記第１のワイヤレスデバイスはユーザ機器を備え、前記第２のワイヤレスデバイスは基地局を備え、前記基地局は、前記非周期追跡基準信号の前記送信を前記トリガすることに基づいて、前記ユーザ機器に前記非周期追跡基準信号を送信するように構成された、Ｃ２８に記載の非一時的コンピュータ可読媒体。
［Ｃ３０］
前記チャネル状態変化は、第１のビームから第２のビームへの切替えを備え、前記トリガ条件は、
前記第１のビームと前記第２のビームとの間の、ビーム幅、パターン、および角度のうちの少なくとも１つにおける差が、１つまたは複数のしきい値を満たすかどうか、または
前記第２のビームの最後のビーム管理インスタンスからの時間がしきい値を満たすかどうか、
のうちの少なくとも１つを備える、Ｃ２８に記載の非一時的コンピュータ可読媒体。
［Ｃ３１］
ワイヤレス通信のための方法であって、前記方法は、
トリガ条件が満たされるかどうかを決定することと、
前記トリガ条件が満たされるとき、基地局からユーザ機器への非周期追跡基準信号の送信をトリガすることと、
を備え、前記基地局は、前記ユーザ機器に周期追跡基準信号を周期的に送信するようにさらに構成され、前記非周期追跡基準信号と前記周期追跡基準信号とが同じ構造を有する、方法。
［Ｃ３２］
前記非周期追跡基準信号と前記周期追跡基準信号とが前記同じ構造を有することは、前記非周期追跡基準信号と前記周期追跡基準信号とが、同じ数のリソース上で送信されることを備える、Ｃ３１に記載の方法。
［Ｃ３３］
前記トリガ条件はチャネル状態を備える、Ｃ３１に記載の方法。
［Ｃ３４］
ワイヤレスデバイスであって、
メモリと、
前記メモリに結合されたプロセッサと、
を備え、前記プロセッサは、
トリガ条件が満たされるかどうかを決定することと、
前記トリガ条件が満たされるとき、基地局からユーザ機器への非周期追跡基準信号の送信をトリガすることと、
を行うように構成され、前記基地局は、前記ユーザ機器に周期追跡基準信号を周期的に送信するようにさらに構成され、前記非周期追跡基準信号と前記周期追跡基準信号とが同じ構造を有する、ワイヤレスデバイス。
［Ｃ３５］
前記非周期追跡基準信号と前記周期追跡基準信号とが前記同じ構造を有することは、前記非周期追跡基準信号と前記周期追跡基準信号とが、同じ数のリソース上で送信されることを備える、Ｃ３４に記載のワイヤレスデバイス。
［Ｃ３６］
前記トリガ条件がチャネル状態を備える、Ｃ３４に記載のワイヤレスデバイス。
［Ｃ３７］
ワイヤレスデバイスであって、
トリガ条件が満たされるかどうかを決定するための手段と、
前記トリガ条件が満たされるとき、基地局からユーザ機器への非周期追跡基準信号の送信をトリガするための手段と、
を備え、前記基地局は、前記ユーザ機器に周期追跡基準信号を周期的に送信するようにさらに構成され、前記非周期追跡基準信号と前記周期追跡基準信号とが同じ構造を有する、ワイヤレスデバイス。
［Ｃ３８］
前記非周期追跡基準信号と前記周期追跡基準信号とが前記同じ構造を有することは、前記非周期追跡基準信号と前記周期追跡基準信号とが、同じ数のリソース上で送信されることを備える、Ｃ３７に記載のワイヤレスデバイス。
［Ｃ３９］
前記トリガ条件がチャネル状態を備える、Ｃ３７に記載のワイヤレスデバイス。
［Ｃ４０］
命令を記憶する非一時的コンピュータ可読媒体であって、前記命令が、ワイヤレスデバイスによって実行されたとき、前記ワイヤレスデバイスにワイヤレス通信の方法を実施させ、前記方法は、
トリガ条件が満たされるかどうかを決定することと、
前記トリガ条件が満たされるとき、基地局からユーザ機器への非周期追跡基準信号の送信をトリガすることと、
を備え、前記基地局は、前記ユーザ機器に周期追跡基準信号を周期的に送信するようにさらに構成され、前記非周期追跡基準信号と前記周期追跡基準信号とが同じ構造を有する、非一時的コンピュータ可読媒体。
［Ｃ４１］
前記非周期追跡基準信号と前記周期追跡基準信号とが前記同じ構造を有することは、前記非周期追跡基準信号と前記周期追跡基準信号とが、同じ数のリソース上で送信されることを備える、Ｃ４０に記載の非一時的コンピュータ可読媒体。
［Ｃ４２］
前記トリガ条件がチャネル状態を備える、Ｃ４０に記載の非一時的コンピュータ可読媒体。